(57)【要約】【課題】搬送及び保管が容易で、汎用性の高い間仕切りユニットを提供する。【解決手段】第１間仕切りユニット１０は、複数並べて使用される間仕切りユニットであって、開口１１ａを有する箱状部材１１と、開口１１ａを蓋するように、箱状部材１１に回動可能に取り付けられた間仕切り部材１２と、箱状部材１１の内部に、箱状部材１１と分離して収納された扉部材１３とを備え、箱状部材１１の内部は、間仕切り部材１２の回動により開放され、扉部材１３は、箱状部材１１の内部が開放された状態で、箱状部材１１の内部から取り出され、第１間仕切りユニット１０に隣接して設けられる第２間仕切りユニット２０の間仕切り部材２２に取り付けられ、間仕切り部材１２と間仕切り部材２２とで仕切られた空間の扉を構成する。【選択図】図４
2015127494.tif 000002
【特許請求の範囲】
【請求項１】
複数並べて使用される間仕切りユニットであって、
開口を有する箱状部材と、
前記開口を蓋するように、前記箱状部材に回動可能に取り付けられた間仕切り部材と、
前記箱状部材の内部に、前記箱状部材と分離して収納された扉部材とを備え、
前記箱状部材の内部は、前記間仕切り部材の回動により開放され、
前記扉部材は、前記箱状部材の内部が開放された状態で、前記箱状部材の内部から取り出され、当該間仕切りユニットに隣接して設けられる間仕切りユニットの間仕切り部材である隣接間仕切り部材と前記間仕切り部材との一方に取り付けられ、前記間仕切り部材と前記隣接間仕切り部材とで仕切られた空間の扉を構成する
間仕切りユニット。
【請求項２】
前記間仕切りユニットは、さらに、前記箱状部材の内部に箱状部材と分離して収納された戸当り部材を備え、
前記戸当り部材は、前記箱状部材の内部が開放された状態で、前記箱状部材の内部から取り出されて前記隣接間仕切り部材及び前記間仕切り部材の他方に取り付けられ、前記扉部材の戸当りを構成する
請求項１に記載の間仕切りユニット。
【請求項３】
開口を有する箱状部材と、
前記開口を蓋するように、前記箱状部材に回動可能に取り付けられた間仕切り部材と、
前記箱状部材の内部に、前記箱状部材と分離して収納された扉部材とを備え、
前記間仕切り部材は、前記開口の対向する開口端縁の一方に回動可能に接続された第１間仕切り部材と、他方に回動可能に接続された第２間仕切り部材とから構成され、
前記箱状部材の内部は、前記箱状部材の第１間仕切り部材及び第２間仕切り部材の回動により開放され、
前記扉部材は、前記箱状部材の内部が開放された状態で、前記箱状部材の内部から取り出されて前記第１間仕切り部材及び前記第２間仕切り部材の一方に取り付けられ、前記第１間仕切り部材及び前記第２間仕切り部材で仕切られた空間の扉を構成する
間仕切りユニット。
【請求項４】
前記間仕切りユニットは、さらに、前記箱状部材の内部に箱状部材と分離して収納された戸当り部材を備え、
前記戸当り部材は、前記箱状部材の内部が開放された状態で、前記箱状部材の内部から取り出されて前記第１間仕切り部材及び前記第２間仕切り部材の他方に取り付けられ、前記扉部材の戸当りを構成する
請求項３に記載の間仕切りユニット。
【発明の詳細な説明】
【技術分野】
【０００１】
本発明は、間仕切りユニットに関し、特に屋外において仮設的に閉空間を形成することが可能な間仕切りユニットに関する。
【背景技術】
【０００２】
従来から、各種イベントの開催時及び災害発生時等に、屋外にトイレ等の閉空間を仮設的に設置可能な技術が提案されている。
【０００３】
例えば、特許文献１には、複数枚の間仕切り板と、側辺又は端辺を互いに突き合わせるようにして配置された複数枚の間仕切り板の対応する連結小孔を貫通させ、複数枚の間仕切り板を結束する連結ベルトとを備える間仕切りユニットが開示されている。この間仕切りユニットによれば、間仕切り板を任意の平面形状に連接させて配置することで、屋外に閉空間を形成することができる。
【０００４】
また、特許文献２には、折り畳み自在に接続された間仕切り部材及び壁状部材と、間仕切り部材が回りに回転自在に取り付けられた支柱とから構成され、間仕切り部材に戸当り部材が設けられた間仕切りユニットが開示されている。この間仕切りユニットによれば、間仕切り部材を支柱から回転して引き出し、壁状部材を展開することで、屋外に閉空間を形成することができる。
【先行技術文献】
【特許文献】
【０００５】
【特許文献１】特開２００７−１１３３６６号公報
【特許文献２】特開２００９−１７４２００号公報
【発明の概要】
【発明が解決しようとする課題】
【０００６】
しかしながら、特許文献１の間仕切りユニットでは、複数枚の間仕切り板及び連結ベルトが分離された状態で保管される。従って、設置場所への搬送に手間が掛かってしまうため、特に災害発生時等の設置に急を要するケースに対応することが困難であるという問題がある。また、複数枚の間仕切り板及び連結ベルトについて紛失し易くなるため、紛失の対策を講じる必要があり、保管に手間が掛かるという問題もある。
【０００７】
また、特許文献２の間仕切りユニットは、壁面に沿って使用されることを前提とし、閉空間を形成する壁の一部として壁面を用いている。従って、設置場所が壁面の存在する場所に限定されてしまうため、設置場所の自由度が低く、汎用性に欠けるという問題がある。
そこで、本発明は、かかる問題点に鑑み、搬送及び保管が容易で、汎用性の高い間仕切りユニットを提供することを目的とする。
【課題を解決するための手段】
【０００８】
上記目的を達成するために、本発明に係る間仕切りユニットは、複数並べて使用される間仕切りユニットであって、開口を有する箱状部材と、前記開口を蓋するように、前記箱状部材に回動可能に取り付けられた間仕切り部材と、前記箱状部材の内部に、前記箱状部材と分離して収納された扉部材とを備え、前記箱状部材の内部は、前記間仕切り部材の回動により開放され、前記扉部材は、前記箱状部材の内部が開放された状態で、前記箱状部材の内部から取り出され、当該間仕切りユニットに隣接して設けられる間仕切りユニットの間仕切り部材である隣接間仕切り部材と前記間仕切り部材との一方に取り付けられ、前記間仕切り部材と前記隣接間仕切り部材とで仕切られた空間の扉を構成することを特徴とする。
【０００９】
ここで、前記間仕切りユニットは、さらに、前記箱状部材の内部に箱状部材と分離して収納された戸当り部材を備え、前記戸当り部材は、前記箱状部材の内部が開放された状態で、前記箱状部材の内部から取り出されて前記隣接間仕切り部材及び前記間仕切り部材の他方に取り付けられ、前記扉部材の戸当りを構成してもよい。
【００１０】
また、本発明に係る間仕切りユニットは、開口を有する箱状部材と、前記開口を蓋するように、前記箱状部材に回動可能に取り付けられた間仕切り部材と、前記箱状部材の内部に、前記箱状部材と分離して収納された扉部材とを備え、前記間仕切り部材は、前記開口の対向する開口端縁の一方に回動可能に接続された第１間仕切り部材と、他方に回動可能に接続された第２間仕切り部材とから構成され、前記箱状部材の内部は、前記箱状部材の第１間仕切り部材及び第２間仕切り部材の回動により開放され、前記扉部材は、前記箱状部材の内部が開放された状態で、前記箱状部材の内部から取り出されて前記第１間仕切り部材及び前記第２間仕切り部材の一方に取り付けられ、前記第１間仕切り部材及び前記第２間仕切り部材で仕切られた空間の扉を構成することを特徴とする。
【００１１】
ここで、前記間仕切りユニットは、さらに、前記箱状部材の内部に箱状部材と分離して収納された戸当り部材を備え、前記戸当り部材は、前記箱状部材の内部が開放された状態で、前記箱状部材の内部から取り出されて前記第１間仕切り部材及び前記第２間仕切り部材の他方に取り付けられ、前記扉部材の戸当りを構成してもよい。
【発明の効果】
【００１２】
本発明によれば、搬送及び保管が容易で、汎用性の高い間仕切りユニットを実現することができる。
【図面の簡単な説明】
【００１３】
【図１】本発明の実施形態に係る第１間仕切りユニット、第２間仕切りユニット及び第３間仕切りユニットの構成及び組立方法を示す斜視図である。
【図２】本発明の実施形態に係る第１間仕切りユニット、第２間仕切りユニット及び第３間仕切りユニットの構成及び組立方法を示す斜視図である。
【図３】本発明の実施形態に係る第１間仕切りユニット、第２間仕切りユニット及び第３間仕切りユニットの構成及び組立方法を示す斜視図である。
【図４】本発明の実施形態に係る第１間仕切りユニット、第２間仕切りユニット及び第３間仕切りユニットの構成及び組立方法を示す斜視図である。
【図５】本発明の実施形態に係る第１間仕切りユニット、第２間仕切りユニット及び第３間仕切りユニットの構成及び組立方法を示す斜視図である。
【図６】本発明の実施形態の第１変形例に係る第１間仕切りユニット、第２間仕切りユニット及び第３間仕切りユニットの組立前の構成を示す斜視図である。
【図７】本発明の実施形態の第１変形例に係る第１間仕切りユニット、第２間仕切りユニット及び第３間仕切りユニットの組立後の構成を示す斜視図である。
【図８】本発明の実施形態の第２変形例に係る第１間仕切りユニット、第２間仕切りユニット及び第３間仕切りユニットの構成及び組立方法を示す斜視図である。
【図９】本発明の実施形態の第２変形例に係る第１間仕切りユニット、第２間仕切りユニット及び第３間仕切りユニットの構成及び組立方法を示す斜視図である。
【図１０】本発明の実施形態の第３変形例に係る第１間仕切りユニット、第２間仕切りユニット及び第３間仕切りユニットの構成及び組立方法を示す斜視図である。
【発明を実施するための形態】
【００１４】
以下、本発明の実施形態について、図面を用いて詳細に説明する。
まず、本実施形態に係る第１間仕切りユニット１０、第２間仕切りユニット２０及び第３間仕切りユニット３０の構成について、図１〜図５を用いて説明する。
【００１５】
図１〜図５は、本実施形態に係る第１間仕切りユニット１０、第２間仕切りユニット２０及び第３間仕切りユニット３０の構成及び組立方法を示す斜視図である。
【００１６】
第１間仕切りユニット１０、第２間仕切りユニット２０及び第３間仕切りユニット３０は、自立式の間仕切りユニットであって、屋外において隣接するように並べられた後、図１〜図５の工程を経て順次組立てられ、それぞれが独立した閉空間を形成する。形成された閉空間内には例えば便器４０ａ、４０ｂ及び４０ｃが配置されており、形成された閉空間は個室トイレとして使用される。第１間仕切りユニット１０及び第２間仕切りユニット２０は同様の構成を有するが、第３間仕切りユニット３０は第１間仕切りユニット１０及び第２間仕切りユニット２０とは異なる構成を有する。以下、各ユニットについて詳細に説明する。
【００１７】
第１間仕切りユニット１０は、箱状部材１１、間仕切り部材１２、扉部材１３、戸当り部材１４及び補強梁１５を備え、第２間仕切りユニット２０を利用して独立した閉空間（以下、第１閉空間という。）を形成する。具体的に、第１間仕切りユニット１０は、箱状部材１１、間仕切り部材１２及び扉部材１３と、第２間仕切りユニット２０の間仕切り部材２２とにより囲まれた第１閉空間を形成する。
【００１８】
箱状部材１１は、その内部空間に扉部材１３、戸当り部材１４、補強梁１５、並びにこれら各部材及び第２間仕切りユニット２０の各部材を連結するネジ等の連結部材を分離した状態で収納する収納体として機能すると共に、第１閉空間の壁材の一つとしても機能する矩形の箱材である。箱状部材１１は、例えば４つのＬ字アングルをそれぞれが一辺を構成するように連結し、連結されたＬ字アングルの２つの開口のうちの１つを塞ぐように４つのＬ字アングルに板材を取り付けることで形成できる。
【００１９】
間仕切り部材１２は、箱状部材１１の開口１１ａを蓋するように箱状部材１１の開口端縁に蝶番等を介して回動可能に取り付けられた板材である。このとき、間仕切り部材１２は、例えば９０度等の所定の角度より大きくは回動しないように箱状部材１１に取り付けられる。間仕切り部材１２は、箱状部材１１の内部空間を閉じる蓋体として機能すると共に、第１閉空間を形成する壁材の一つとしても機能する。
【００２０】
扉部材１３は、支柱１３ｂと、この支柱１３ｂに蝶番等を介して回動可能に取り付けられた板材１３ａとから構成される。扉部材１３は、支柱１３ｂが第２間仕切りユニット２０の間仕切り部材２２、具体的には間仕切り部材２２の第１閉空間側の面に連結部材を介して取り付けられ、第１閉空間の扉として機能する。
【００２１】
戸当り部材１４は、間仕切り部材１２、具体的には間仕切り部材１２の第１閉空間側の面に連結部材を介して取り付けられたＬ字アングル等の棒材であり、扉部材１３の板材１３ａの回動を規制する戸当りとして機能する。
【００２２】
補強梁１５は、連結部材を介して、扉部材１３の支柱１３ｂ、第２間仕切りユニット２０の間仕切り部材２２、及び間仕切り部材１２に取り付けられ、これらを連結固定する補強梁として機能する。
【００２３】
第２間仕切りユニット２０は、第１間仕切りユニット１０と同様の構成及び機能を有し、箱状部材２１、間仕切り部材２２、扉部材２３、戸当り部材２４及び補強梁２５を備え、第３間仕切りユニット３０を利用して独立した閉空間（以下、第２閉空間という。）を形成する。具体的に、第２間仕切りユニット２０は、箱状部材２１、間仕切り部材２２、扉部材２３及び第３間仕切りユニット３０の板材３２ａにより囲まれた第２閉空間を形成する。
【００２４】
箱状部材２１は、その内部空間に扉部材２３、戸当り部材２４、補強梁２５、並びにこれら各部材及び第３間仕切りユニット３０の各部材を連結する連結部材を分離した状態で収納する収納体として機能すると共に、第２閉空間の壁材の一つとしても機能する矩形の箱材である。箱状部材２１は、第１間仕切りユニット１０の箱状部材１１と同様に、例えば連結された４つのＬ字アングルに板材を取り付けることで形成できる。
【００２５】
間仕切り部材２２は、箱状部材２１の開口２１ａを蓋するように箱状部材２１の開口端縁に蝶番等を介して回動可能に取り付けられた板材である。このとき、間仕切り部材２２は、例えば９０度等の所定の角度より大きく回動しないように箱状部材２１に取り付けられる。間仕切り部材２２は、箱状部材２１の内部空間を閉じる蓋体として機能すると共に、第２閉空間を形成する壁材の一つとしても機能する。
【００２６】
扉部材２３は、支柱２３ｂと、この支柱２３ｂに蝶番等を介して回動可能に取り付けられた板材２３ａとから構成される。扉部材２３は、支柱２３ｂが第３間仕切りユニット３０の間仕切り部材３２、具体的には間仕切り部材３２の板材３２ａの第２閉空間側の面に連結部材を介して取り付けられ、第２閉空間の扉として機能する。
【００２７】
戸当り部材２４は、間仕切り部材２２、具体的には間仕切り部材２２の第２閉空間側の面に連結部材を介して取り付けられたＬ字アングル等の棒材であり、扉部材２３の板材２３ａの回動を規制する戸当りとして機能する。
【００２８】
補強梁２５は、連結部材を介して、扉部材２３の支柱２３ｂ、第３間仕切りユニット３０の板材３２ａ、及び間仕切り部材２２に取り付けられ、これらを連結固定する補強梁として機能する。
【００２９】
第３間仕切りユニット３０は、箱状部材３１、間仕切り部材３２、扉部材３３、戸当り部材３４及び補強梁３５を備え、単独で独立した閉空間（以下、第３閉空間という。）を形成する。具体的に、第３間仕切りユニット３０は、箱状部材３１、間仕切り部材３２の板材３２ａ及び３３並びに扉部材３３により囲まれた第３閉空間を形成する。
【００３０】
箱状部材３１は、その内部空間に扉部材３３、戸当り部材３４、補強梁３５、及びこれら各部材を連結する連結部材を分離した状態で収納する収納体として機能すると共に、第３閉空間の壁材の一つとしても機能する矩形の箱材である。箱状部材３１は、第１間仕切りユニット１０の箱状部材１１と同様に、例えば連結された４つのＬ字アングルに板材を取り付けることで形成できる。
【００３１】
間仕切り部材３２は、箱状部材３１の開口３１ａを蓋するように箱状部材３１の開口端縁に回動可能に取り付けられた板材３２ａ及び３２ｂから構成される。このとき、板材３２ａ及び３２ｂは、例えば９０度等の所定の角度より大きくは回動しないように箱状部材３１に取り付けられる。板材３２ａは、箱状部材３１の対向する開口端縁の一方に蝶番等を介して回動可能に取り付けられ、板材３２ｂは、箱状部材３１の対向する開口端縁の他方に蝶番等を介して回動可能に取り付けられる。板材３２ａ及び３２ｂは、それぞれ単独で箱状部材３１の内部空間を閉じる蓋体として機能すると共に、第３閉空間を形成する壁材の一つとしても機能する。板材３２ａ及び３２ｂは、例えば、同様の幅、高さ及び厚みを持ち、箱状部材３１の開口３１ａに重ねて配置される。
【００３２】
扉部材３３は、支柱３３ｂと、この支柱３３ｂに蝶番等を介して回動可能に取り付けられた板材３３ａとから構成される。扉部材３３は、支柱３３ｂが間仕切り部材３２の板材３２ｂ、具体的には板材３２ｂの第３閉空間側の面に連結部材を介して取り付けられ、第３閉空間の扉として機能する。
【００３３】
戸当り部材３４は、間仕切り部材３２の板材３２ａ、具体的には板材３２ａの第３閉空間側の面に連結部材を介して取り付けられたＬ字アングル等の棒材であり、扉部材３３の板材３３ａの回動を規制する戸当りとして機能する。
【００３４】
補強梁３５は、連結部材を介して、扉部材３３の支柱３３ｂ、並びに間仕切り部材３２の板材３２ａ及び３２ｂに取り付けられ、これらを連結固定する補強梁として機能する。
【００３５】
次に、本実施形態に係る第１間仕切りユニット１０、第２間仕切りユニット２０及び第３間仕切りユニット３０の組立方法について、図１〜図５を用いて説明する。
【００３６】
まず、図１に示されるように、箱状部材１１、２１及び３１が、開口１１ａ、２１ａ及び３１ａが同じ方向つまり前方を向き、かつ、便器４０ａ、４０ｂ及び４０ｃのそれぞれに対応するように配置される。
【００３７】
具体的に、扉部材１３、戸当り部材１４、補強梁１５及び連結部材が収納された箱状部材１１が開口１１ａを便器４０ａに向けて便器４０ａの後方に配置される。そして、扉部材２３、戸当り部材２４、補強梁２５及び連結部材が収納された箱状部材２１が、箱状部材１１に隣接し、開口２１ａを便器４０ｂに向けて便器４０ｂの後方に配置される。さらに、扉部材３３、戸当り部材３４、補強梁３５及び連結部材が収納された箱状部材３１が、箱状部材２１に隣接し、開口３１ａを便器４０ｃに向けて便器４０ｃの後方に配置される。
なお、箱状部材１１、２１及び３１は、図１のように配設された状態で、便器４０ａ、４０ｂ及び４０ｃが設けられた地面にボルト固定されてもよい。
【００３８】
次に、図２に示されるように、間仕切り部材１２、２２及び３２が回動されて箱状部材１１、２１及び３１の蓋が開けられ、箱状部材１１、２１及び３１の内部空間に収納された各部材が取り出される。
【００３９】
具体的に、箱状部材１１に対して間仕切り部材１２を回動させることで箱状部材１１の開口１１ａが開放され、開口１１ａから扉部材１３、戸当り部材１４、補強梁１５及び連結部材が取り出される。同様に、箱状部材２１に対して間仕切り部材２２を回動させることで箱状部材２１の開口２１ａが開放され、開口２１ａから扉部材２３、戸当り部材２４、補強梁２５及び連結部材が取り出される。そして、箱状部材３１に対して間仕切り部材３２の板材３２ａ及び３２ｂを回動させることで箱状部材３１の開口３１ａが開放され、開口３１ａから扉部材３３、戸当り部材３４、補強梁３５及び連結部材が取り出される。
【００４０】
このとき、間仕切り部材１２、２２及び３２は回動されて箱状部材１１の前方に突き出た状態で維持され、箱状部材１１、２１及び３１の蓋は開けられたままの状態とされる。従って、便器４０ａが配置された空間（以下、第１空間という。）と、便器４０ｂが配置された空間（以下、第２空間という。）と、便器４０ｃが配置された空間（以下、第３空間という。）とは、間仕切り部材１２、２２及び３２により仕切られる。
【００４１】
具体的に、第１空間が間仕切り部材１２と間仕切り部材２２とで仕切られ、第２空間が間仕切り部材２２と板材３２ａとで仕切られ、第３空間が間仕切り部材３２の板材３２ａと板材３２ｂとで仕切られる。
次に、図３に示されるように、間仕切り部材１２、２２及び３２に戸当り部材１４、２４及び３４が取り付けられる。
【００４２】
具体的に、間仕切り部材１２の前端部の第１空間側の面に、戸当り部材１４が取り付けられる。同様に、間仕切り部材２２の前端部の第２空間側の面に、戸当り部材２４が取り付けられる。そして、間仕切り部材３２の板材３２ａの前端部の第３空間側の面に、戸当り部材３４が取り付けられる。
次に、図４に示されるように、間仕切り部材２２及び３２に扉部材１３、２３及び３３が取り付けられる。
【００４３】
具体的に、間仕切り部材２２の前端部の第１空間側の面に、扉部材１３の支柱１３ｂが取り付けられる。同様に、間仕切り部材３２の板材３２ａの前端部の第２空間側の面に、扉部材２３の支柱２３ｂが取り付けられる。そして、間仕切り部材３２の板材３２ｂの前端部の第３空間側の面に、扉部材３３の支柱３３ｂが取り付けられる。
最後に、図５に示されるように、間仕切り部材１２、２２及び３２と、扉部材１３、２３及び３３とに、補強梁１５、２５及び３５が取り付けられる。
【００４４】
具体的に、扉部材１３の支柱１３ｂ、間仕切り部材１２及び２２、並びに戸当り部材１４に、補強梁１５が取り付けられる。同様に、扉部材２３の支柱２３ｂ、間仕切り部材２２、間仕切り部材３２の板材３２ａ、及び戸当り部材２４に、補強梁２５が取り付けられる。そして、扉部材３３の支柱３３ｂ、間仕切り部材３２の板材３２ａ及び３２ｂ、並びに戸当り部材３４に、補強梁３５が取り付けられる。
【００４５】
以上のように本実施形態の第１間仕切りユニット１０は、複数並べて使用される間仕切りユニットであって、開口１１ａを有する箱状部材１１と、開口１１ａを蓋するように、箱状部材１１に回動可能に取り付けられた間仕切り部材１２と、箱状部材１１の内部に、箱状部材１１と分離して収納された扉部材１３とを備える。そして、箱状部材１１の内部は、間仕切り部材１２の回動により開放される。そして、扉部材１３は、箱状部材１１の内部が開放された状態で、箱状部材１１の内部から取り出され、第１間仕切りユニット１０に隣接して設けられる第２間仕切りユニット２０の間仕切り部材２２に取り付けられ、間仕切り部材１２と間仕切り部材２２とで仕切られた空間の扉を構成する。
【００４６】
このような構成により、第１間仕切りユニット１０は、箱状部材１１で一体化して保管できるため、搬送及び保管が容易な間仕切りユニットを実現することができる。また、２つの隣接する第１間仕切りユニット１０及び第２間仕切りユニット２０だけで１つの閉空間を形成できるため、設置場所の自由度が低く、汎用性の高い間仕切りユニットを実現できる。
【００４７】
また、本実施形態の第１間仕切りユニット１０は、さらに、箱状部材１１の内部に箱状部材１１と分離して収納された戸当り部材１４を備える。そして、戸当り部材１４は、箱状部材１１の内部が開放された状態で、箱状部材１１の内部から取り出されて間仕切り部材１２に取り付けられ、扉部材１３の戸当りを構成する。
このような構成により、第１間仕切りユニット１０により形成した閉空間の扉に対して、戸当りを追加することができる。
【００４８】
また、本実施形態の第３間仕切りユニット３０は、開口を有する箱状部材３１と、開口３１ａを蓋するように、箱状部材３１に回動可能に取り付けられた間仕切り部材３２と、箱状部材３１の内部に、箱状部材３１と分離して収納された扉部材３３とを備える。そして、間仕切り部材３２は、開口３１ａの対向する開口端縁の一方に回動可能に接続された第１間仕切り部材としての板材３２ａと、他方に回動可能に接続された第２間仕切り部材としての板材３２ｂとから構成される。そして、箱状部材３１の内部は、箱状部材３１の板材３２ａ及び３２ｂの回動により開放される。そして、扉部材３３は、箱状部材３１の内部が開放された状態で、箱状部材３１の内部から取り出されて板材３２ｂに取り付けられ、板材３２ａ及び３２ｂで仕切られた空間の扉を構成する。
【００４９】
このような構成により、第３間仕切りユニット３０は、箱状部材３１で一体化して保管できるため、搬送及び保管が容易な間仕切りユニットを実現することができる。また、第３間仕切りユニット３０単独で閉空間を形成できるため、設置場所の自由度が低く、汎用性の高い間仕切りユニットを実現することができる。
【００５０】
また、本実施形態の第３間仕切りユニット３０は、さらに、箱状部材３１の内部に箱状部材と分離して収納された戸当り部材３４を備える。そして、戸当り部材３４は、箱状部材３１の内部が開放された状態で、箱状部材３１の内部から取り出されて板材３２ａに取り付けられ、扉部材３３の戸当りを構成する。
このような構成により、第３間仕切りユニット３０により形成した閉空間の扉に対して、戸当りを追加することができる。
（変形例）
次に、本実施形態の変形例に係る間仕切りユニットについて、図６及び図７を用いて説明する。
【００５１】
図６及び図７は、本変形例に係る第１間仕切りユニット１１０、第２間仕切りユニット１２０及び第３間仕切りユニット１３０の構成を示す斜視図である。なお、図６は、組立前の第１間仕切りユニット１１０、第２間仕切りユニット１２０及び第３間仕切りユニット１３０の構成を示し、図７は、組立後の第１間仕切りユニット１１０、第２間仕切りユニット１２０及び第３間仕切りユニット１３０の構成を示している。
【００５２】
図６及び図７に示す第１間仕切りユニット１１０、第２間仕切りユニット１２０及び第３間仕切りユニット１３０が図１〜図５に示す第１間仕切りユニット１０、第２間仕切りユニット２０及び第３間仕切りユニット３０と異なる点は、箱状部材１１１、１２１及び１３１が内部に補強梁１５、２５及び３５を有しない点と、箱状部材１１１、１２１及び１３１の構成と、係止ロック部材１６、２６及び３６並びにバー状ロック部材５０をさらに備える点とである。それ以外の構成は、本実施形態に係る第１間仕切りユニット１０、第２間仕切りユニット２０及び第３間仕切りユニット３０と同じである。
【００５３】
箱状部材１１１は、２つのＬ字アングルを対向するように、つまり長手方向が平行になるように配置し、この２つのＬ字アングルの間に１つの板材を架設させることで形成できる。このとき、Ｌ字アングルの長手方向の一端（下端）には、Ｌ字アングルの長手方向を法線とする板材が設けられており、箱状部材１１１の内部に収納された扉部材１３が抜け落ちないようにされている。従って、箱状部材１１１では、２つのＬ字アングルとそれらの長手方向の一端の板材により側面が形成され、２つのＬ字アングルに架設させた板材により底面が形成されることになる。そして、４つの側面のうちの１つには開口が形成されることになる。
【００５４】
同様に、箱状部材１２１は、２つのＬ字アングルを長手方向が平行になるように配置し、この２つのＬ字アングルの間に１つの板材を架設させることで形成できる。このとき、Ｌ字アングルの長手方向の一端（下端）には、Ｌ字アングルの長手方向を法線とする板材が設けられており、箱状部材１２１の内部に収納された扉部材２３が抜け落ちないようにされている。
【００５５】
また同様に、箱状部材１３１は、２つのＬ字アングルを長手方向が平行になるように配置し、この２つのＬ字アングルの間に１つの板材を架設させることで形成できる。このとき、Ｌ字アングルの長手方向の一端（下端）には、Ｌ字アングルの長手方向を法線とする板材が設けられており、箱状部材１３１の内部に収納された扉部材３３が抜け落ちないようにされている。
【００５６】
係止ロック部材１６は、間仕切り部材１２の表面に突設された第１金具と、この第１金具に係合可能であり、箱状部材１１１の側面に固定された第２金具とから構成されている。係止ロック部材１６では、第１間仕切りユニット１１０の組立前において、第２金具が第１金具に係合、例えば引っ掛けられることで間仕切り部材１２が回動しないように回動をロックしている。
【００５７】
同様に、係止ロック部材２６は、間仕切り部材２２の表面に突設された第１金具と、この第１金具に係合可能であり、箱状部材１２１の側面に固定された第２金具とから構成されている。係止ロック部材２６では、第２間仕切りユニット１２０の組立前において、第２金具が第１金具に係合することで間仕切り部材２２が回動しないように回動をロックしている。
【００５８】
また同様に、係止ロック部材３６は、間仕切り部材３２の表面に突設された第１金具と、この第１金具に係合可能であり、箱状部材１３１の側面に固定された第２金具とから構成されている。係止ロック部材３６では、第３間仕切りユニット１３０の組立前において、第２金具が第１金具に係合することで間仕切り部材３２が回動しないように回動をロックしている。
【００５９】
バー状ロック部材５０は、第１板材５１、第２板材５２及び棒材５３から構成されている。第１板材５１は、第１間仕切りユニット１１０の組立前において、一部が間仕切り部材１２の表面に突き出すと共に、他部が箱状部材１１１の側面に固定されている。同様に、第２板材５２は、第３間仕切りユニット１３０の組立前において、一部が間仕切り部材３２の表面に突き出すと共に、他部が箱状部材１３１の側面に固定されている。そして、第１板材５１及び第２板材５２の間仕切り部材１２及び３２の表面に突き出た部分には、貫通孔が形成されている。バー状ロック部材５０は、この第１板材５１及び第２板材５２の貫通孔に棒材５３が挿通されることで間仕切り部材１２、２２及び３２が回動しないように回動をロックしている。
【００６０】
上記構成を有する第１間仕切りユニット１１０、第２間仕切りユニット１２０及び第３間仕切りユニット１３０の組立において、係止ロック部材１６、２６及び３６並びにバー状ロック部材５０のロックが外された後で、間仕切り部材１２、２２及び３２が回動され、箱状部材１１１、１２１及び１３１の内部が開放される。
【００６１】
以上、本発明の間仕切りユニットについて、実施形態に基づいて説明したが、本発明は、この実施形態に限定されるものではない。本発明の要旨を逸脱しない範囲内で当業者が思いつく各種変形を施したものも本発明の範囲内に含まれる。
【００６２】
例えば、上記実施形態の第１間仕切りユニット１０では、扉部材１３が間仕切り部材２２に取り付けられ、戸当り部材１４が間仕切り部材１２に取り付けられるとした。しかし、扉部材１３が間仕切り部材１２に取り付けられ、戸当り部材１４が間仕切り部材２２に取り付けられてもよい。同様に、上記実施の形態の第３間仕切りユニット３０では、扉部材３３が板材３２ｂに取り付けられ、戸当り部材３４が板材３２ａに取り付けられるとした。しかし、扉部材３３が板材３２ａに取り付けられ、戸当り部材３４が板材３２ｂに取り付けられてもよい。
【００６３】
また、上記実施形態では、間仕切り部材１２と戸当り部材１４とは分離した状態で箱状部材１１の内部に収納され、箱状部材１１の内部から取り出された後で結合されるとした。しかし、間仕切り部材１２と戸当り部材１４とは結合された状態で箱状部材１１の内部に収納されてもよい。同様に、間仕切り部材３２と戸当り部材３４とは結合された状態で箱状部材３１の内部に収納されてもよい。
【００６４】
また、上記実施形態では、第１間仕切りユニット１０、第２間仕切りユニット２０及び第３間仕切りユニット３０が形成する閉空間は個室トイレとして使用されるとしたが、内部に便器４０ａ、４０ｂ及び４０ｃが配置されず、休憩スペース及び脱衣所等として使用されてもよい。
【００６５】
また、上記実施形態において、箱状部材１１、２１及び３１は前面のみが開口されるとした。しかし、箱状部材１１、２１及び３１をその内部に収納された部材と共に一体化して搬送できれば、箱状部材１１、２１及び３１の底面及び複数の側面のいずれかが開口されていてもよい。このとき、部材を収納する箱状部材１１、２１及び３１の内部空間とは、隣接する少なくとも３つの面により囲まれる空間をいい、例えば底面、背面及び側面により囲まれる空間をいう。
【００６６】
また、上記実施形態において、図８に示されるように、戸当り部材１４、補強梁１５及び扉部材１３の支柱１３ｂは一体化されてＵ字状の部材として箱状部材１１に収納されてもよい。そして、図９に示されるように、Ｕ字状の部材は組立時に間仕切り部材１２と間仕切り部材２２との間に設けられてもよい。同様に、戸当り部材３４、補強梁３５及び扉部材３３の支柱３３ｂは一体化されてＵ字状の部材として箱状部材３１に収納され、このＵ字状の部材は組立時に間仕切り部材３２の板材３２ａ及び３２ｂの間に設けられてもよい。
【００６７】
また、上記実施形態において、戸当り部材１４及び扉部材１３の支柱１３ｂは、組立時に地面に固定され、箱状部材１１に対する間仕切り部材１２の回動を規制してもよい。同様に、戸当り部材３４及び扉部材３３の支柱３３ｂは、組立時に地面に固定され、箱状部材３１に対する間仕切り部材３２の板材３２ａ及び３２ｂの回動を規制してもよい。例えば、図１０に示されるように、扉部材１３、２３及び３３の支柱１３ｂ、２３ｂ及び３３ｂにアジャスター１６、２６及び３６が取り付けられ、支柱１３ｂ、２３ｂ及び３３ｂが地面に固定されてもよい。
【産業上の利用可能性】
【００６８】
本発明は、間仕切りユニットとして有用であり、屋外において仮設的に設置されるトイレ等等において広く利用することができる。
【符号の説明】
【００６９】
１０、１１０    第１間仕切りユニット
１１、２１、３１、１１１、１２１、１３１    箱状部材
１１ａ、２１ａ、３１ａ    開口
１２、２２、３２    間仕切り部材
１３、２３、３３    扉部材
１３ａ、２３ａ、３２ａ、３２ｂ、３３ａ    板材
１３ｂ、２３ｂ、３３ｂ    支柱
１４、２４、３４    戸当り部材
１５、２５、３５    補強梁
１６、２６、３６    係止ロック部材
２０、１２０    第２間仕切りユニット
３０、１３０    第３間仕切りユニット
４０ａ、４０ｂ、４０ｃ    便器
５０    バー状ロック部材
５１    第１板材
５２    第２板材
５３    棒材
【図１】
2015127494.tif 000003
【図２】
2015127494.tif 000004
【図３】
2015127494.tif 000005
【図４】
2015127494.tif 000006
【図５】
2015127494.tif 000007
【図６】
2015127494.tif 000008
【図７】
2015127494.tif 000009
【図８】
2015127494.tif 000010
【図９】
2015127494.tif 000011
【図１０】
2015127494.tif 000012